(57)【特許請求の範囲】
【請求項１】
回転する羽根車に一時的に保持される紙葉の幅方向を規制するガイド部材を備えた羽根車のガイド機構において、前記ガイド部材を前記紙葉を案内する案内位置と前記羽根車の半径方向外側へ退避する退避位置との間で移動可能に支持させると共に、前記退避位置へ移動した状態下で前記紙葉の幅方向に対して移動可能に支持させたことを特徴とする羽根車のガイド機構。
【請求項２】
前記ガイド部材を案内位置と退避位置との間で移動可能に支持する支持機構として、前記ガイド部材に横架されたスライドシャフトと、該スライドシャフトを摺動自在に支持する支持ブロックと、前記スライドシャフトを支持ブロックに対し所定位置に固定可能なクランプレバーと、を備えたことを特徴とする請求項１記載の羽根車のガイド機構。
【請求項３】
前記ガイド部材を案内位置と退避位置との間で移動自在に支持する支持ブロックと該支持ブロックを紙葉の幅方向へ移動自在に支持する支持基材とを有する支持機構を備えると共に、前記支持基材に対して前記支持ブロックを移動させる調整ハンドルを備えたことを特徴とする請求項１記載の羽根車のガイド機構。
【請求項４】
前記支持ブロックは移動ロッドを介して前記支持基材に対し紙葉の幅方向へ移動自在に支持されると共に、前記移動ロッドに刻設されたラックに噛合するピニオンが前記支持基材に回転可能に支持され、前記ピニオンは連結ロッドを介して前記調整ハンドルにより回転されることを特徴とする請求項３記載の羽根車のガイド機構。
【請求項５】
前記支持基材はチョッパフレーム側に前記紙葉の幅方向へ移動自在に支持されると共に、同支持基材とチョッパフレームとの間にガイド部材を羽根車に対し着脱させるエアシリンダを介装したことを特徴とする請求項４記載の羽根車のガイド機構。
【発明の詳細な説明】
【０００１】
【発明の属する技術分野】
本発明は、例えば巻紙輪転印刷機の折機排紙部における羽根車のガイド機構に関する。
【０００２】
【従来の技術】
巻紙輪転印刷機には、印刷後、乾燥冷却されたウェブを所定の長さ毎に断裁したり、これを幅方向や長さ方向に折ったりする折機が備えられている。
【０００３】
図５は、この種折機の概要側面図であって、これを同図に基づいて説明すると、折機０１は、図に矢印で示す方向に回転する折胴０２、断裁胴０３、及びくわえ胴０４を備えており、図示しない印刷ユニットから折機０１へ供給された印刷後のウェブ０５は、折胴０２と断裁胴０３との間へ送り込まれる。
【０００４】
そして、前記ウェブ０５は両胴０２，０３の間で所定の寸法に断裁され、針（図示せず）により折胴０２に巻き付けられると、くわえ胴０４のくわえ板（図示せず）がその中央部をくわえて折り畳みながらくわえ胴０４に巻き付ける。
【０００５】
このようにして折られたウェブ０５は上下に張架された排紙ベルト０６，０６に挟まれて移送され、羽根車０７によって排紙コンベア０８上へ排出されて所定の位置へ移送される。この結果符号０９で示す二つ折り（平行折）の折丁が得られる。
【０００６】
また、排紙ベルト０６，０６による折丁の移送経路には、上下に運動するチョッパブレードを備えたチョッパ０１０が設けられており、その下方には、羽根車０７と同じ構造の羽根車０１１が羽根車０７と軸方向を直交させて軸架されている。
【０００７】
そして、符号０１２で示すような四つ折り（チョッパ折）の折丁を得たい場合には、チョッパ０１０を運転すると、排紙ベルト０６，０６で移送中の折丁０９がチョッパ０１０によって中央部から折られ、羽根車０１１で排紙コンベア０８上へ排出されて移送される。
【０００８】
このように、一台の折機で二種類の折丁０９，０１２の折紙を選択的に行うようになっている。尚、図中０１３は羽根車０７の下方に位置して固定的に設けられて羽根車０７で運ばれてきた折丁０９を下方の排紙コンベア０８上へ導く当て（ストリッパー）である。
【０００９】
【発明が解決しようとする課題】
ところで、上述したような折機排紙部においては通常、羽根車７，１１に入った折丁９，１２は、図示しない横ガイドにより折丁９，１２の幅方向が規制されるようになっている。
【００１０】
従って、前記横ガイドは、折丁０９，０１２の幅サイズに応じて移動し得るようになっており、折丁０９，０１２の幅方向へ所定間隔離間して複数ピースに亙って設けられた羽根車０７，０１１において、外側のピースを飛び越えて横ガイドを配置する場合が生じる。
【００１１】
このような仕様の切換時、従来は、横ガイドを一旦取り外してから所定の位置へ再度固定するという方法をとっていたため、工具が必要であったり、部品を紛失する虞があると共に、取付位置の調整も面倒であるという問題点があった。
【００１２】
本発明はこのような問題を解決するものであって、仕様切換において工具と取付位置の調整を不要とすると共に、部品の紛失もない羽根車のガイド機構を提供することを目的とする。
【００１３】
【課題を解決するための手段】
上述の目的を達成するための本発明に係る羽根車のガイド機構は、回転する羽根車に一時的に保持される紙葉の幅方向を規制するガイド部材を備えた羽根車のガイド機構において、前記ガイド部材を前記紙葉を案内する案内位置と前記羽根車の半径方向外側へ退避する退避位置との間で移動可能に支持させると共に、前記退避位置へ移動した状態下で前記紙葉の幅方向に対して移動可能に支持させたことを特徴とする。
また、前記ガイド部材を案内位置と退避位置との間で移動可能に支持する支持機構として、前記ガイド部材に横架されたスライドシャフトと、該スライドシャフトを摺動自在に支持する支持ブロックと、前記スライドシャフトを支持ブロックに対し所定位置に固定可能なクランプレバーと、を備えたことを特徴とする。
また、前記ガイド部材を案内位置と退避位置との間で移動自在に支持する支持ブロックと該支持ブロックを紙葉の幅方向へ移動自在に支持する支持基材とを有する支持機構を備えると共に、前記支持基材に対して前記支持ブロックを移動させる調整ハンドルを備えたことを特徴とする。
また、前記支持ブロックは移動ロッドを介して前記支持基材に対し紙葉の幅方向へ移動自在に支持されると共に、前記移動ロッドに刻設されたラックに噛合するピニオンが前記支持基材に回転可能に支持され、前記ピニオンは連結ロッドを介して前記調整ハンドルにより回転されることを特徴とする。
また、前記支持基材はチョッパフレーム側に前記紙葉の幅方向へ移動自在に支持されると共に、同支持基材とチョッパフレームとの間にガイド部材を羽根車に対し着脱させるエアシリンダを介装したことを特徴とする。
【００１４】
前記構成によれば、ガイド部材を取り外さないで移動させるだけで仕様切換が行え、工具と取付位置の調整を不要とすると共に、部品の紛失もない。
【００１５】
【発明の実施の形態】
以下、本発明に係る羽根車のガイド機構を実施例により図面を用いて詳細に説明する。
【００１６】
［実施例］
図１は本発明の一実施例を示す折機排紙部における羽根車のガイド機構の正面図、図２は同じく平面図、図３は図１のＡ矢視図、図４は図１のＢ矢視図である。
【００１７】
図示のように、折機排紙部の左右一対のチョッパフレーム１ａ，１ｂ間には、羽根車２が回転自在に軸支される。この羽根車２はその支持軸３上に四つの羽根車ピース２ａ，２ｂ，２ｃ，２ｄが所定間隔離間して配置されてなると共に、各羽根車ピース２ａ，２ｂ，２ｃ，２ｄは各々のクランプレバー４の緩め操作により支持軸３上を移動可能になっている。
【００１８】
そして、前記左右一対のチョッパフレーム１ａ，１ｂの内側には、前記羽根車２の両側に位置して当該羽根車２に一時的に保持される図示しない紙葉としての折丁の幅方向を規制する三角板状の横ガイド（ガイド部材）５Ａ，５Ｂが配設される。
【００１９】
前記左側の横ガイド５Ａは左方のチョッパフレーム１ａに、また右側の横ガイド５Ｂは右方のチョッパフレーム１ｂに、それぞれ支持機構６を介して前後方向（羽根車２の半径方向）と左右方向（折丁の幅方向）への移動が可能に支持される。
【００２０】
前記支持機構６は、横ガイド５Ａ，５Ｂの背面に前後一対のブラケット７ａ，７ｂを介して横架されたスライドシャフト８を摺動自在に支持するとともにクランプレバー９の締付け操作で所定位置に固定可能な支持ブロック１０と、この支持ブロック１０に一端部が固設され他端部が外側方（左右方向）に延びてチョッパフレーム１ａ，１ｂを貫通し得る前後一対の移動ロッド１１ａ，１１ｂと、該移動ロッド１１ａ，１１ｂのうち前方の移動ロッド１１ａの下面に刻設されたラック１２と、前記移動ロッド１１ａ，１１ｂを左右一対の支持板部１３ａで移動可能に支持すると共にこの支持板部１３ａから前後一対の摺動軸部１３ｂを外側方（左右方向）に延出した支持基材１３と、該支持基材１３の支持板部１３ａ間に回転可能に軸支されて前記ラック１２と噛合するピニオン１４と、前記支持基材１３の摺動軸部１３ｂを摺動可能に支持すべくチョッパフレーム１ａ，１ｂの内面に固設された取付ブラケット１５と、該取付ブラケット１５の下面部にヘッドが横向きに取り付けられてピストンロッド先端が前記支持基材１３の支持板部１３ａに連結されたエアシリンダ１６と、前記ピニオン１４に一端部が自在継手１７を介して連結され他端部が斜め前方に延出された連結ロッド１８と、該連結ロッド１８の他端部が自在継手１９を介して連結されると共に前記チョッパフレーム１ａ，１ｂの内面に固設された支持ブラケット２０に回動自在に支持された調整ハンドル２１とからなる。
【００２１】
尚、支持機構６は、左右両方共同一構成であるため、図１及び図２においては、右方の支持機構６にのみ各構成部材の符号を付して左方の支持機構６の各構成部材の符号は省略した。
【００２２】
次に、このように構成されたガイド機構の動作を説明する。
横ガイド５Ａ，５Ｂは、折丁の幅が大きい時は図１中実線で示した位置に調整位置決めされ、折丁の幅が小さい時は図１中鎖線で示した位置に調整位置決めされる。
【００２３】
本実施例では、横ガイド５Ａ，５Ｂの前記両調整位置如何にかかわらず、エアシリンダ１６を伸縮して支持基材１３を取付ブラケット１５に対し左右方向（折丁の幅方向）に摺動させることで、横ガイド５Ａ，５Ｂを羽根車２に対し着脱し得るようになっている。支持基材１３の図１及び図２中実線位置が横ガイド５Ａ，５Ｂの着位置で、図１及び図２中鎖線位置が横ガイド５Ａ，５Ｂの脱位置である。
【００２４】
そして、前記横ガイド５Ａ，５Ｂを、仕様切換により、例えば図１中実線で示した位置から図１中鎖線で示した位置へ切換移動させる時は、先ず、クランプレバー９を緩め側に操作した後、手動によりスライドシャフト８を支持ブロック１０に対し後方に摺動させて横ガイド５Ａ，５Ｂを機械運転時の案内位置（図３中実線参照）から仕様切換時の退避位置（図３中鎖線参照）へと後退移動させる。
【００２５】
次に、調整ハンドル２１を所定方向に回し、ラック１２とピニオン１４により、前方の移動ロッド１１ａ及びこれと対をなす後方の移動ロッド１１ｂを支持基材１３に対し内方（折丁の幅方向）へ移動させて、横ガイド５Ａ，５Ｂを図１中鎖線で示した位置へ移動させる。
【００２６】
次に、手動によりスライドシャフト８を支持ブロック１０に対し前方に摺動させて、前述した退避位置にある横ガイド５Ａ，５Ｂを前述した案内位置へと前進移動させる。
【００２７】
最後に、クランプレバー９を締付操作してスライドシャフト８を支持ブロック１０に対し固定すれば、横ガイド５Ａ，５Ｂの切換動作は終了する。
【００２８】
尚、横ガイド５Ａ，５Ｂを図１中の鎖線位置から実線位置へ切り換える時は、前述した動作の逆動作を実施すれば良いことは自明である。
【００２９】
また、上記実施例において、前述した仕様切換時に、横ガイド５Ａ，５Ｂを退避位置に移動させた際、外側の羽根車ピース２ａ及び２ｄを、クランプレバー４の緩め操作により支持軸３上を外側に移動させても良い。
【００３０】
このようにして本実施例では、横ガイド５Ａ，５Ｂを取り外さないで１平面上を二軸方向に移動させるだけで仕様切換が行えるので、工具を使わずに迅速に仕様切換ができると共に、部品紛失の虞もない。
【００３１】
また、スライド等させるだけで、元の位置に復帰できるので、取付誤差による再調整の必要がない。
【００３２】
また、本発明は上記実施例に限定されず、本発明の要旨を逸脱しない範囲で各種変更が可能であることはいうまでもない。また、本発明の紙葉とは、折られていないシート状物や折られているシート状物である。また、シート状物とは、紙やフィルムや塩化ビニールシート等のことを指す。
【００３３】
【発明の効果】
以上、実施例を挙げて詳細に説明したように本発明に係る羽根車のガイド機構によれば、回転する羽根車に一時的に保持される紙葉の幅方向を規制するガイド部材を備えた羽根車のガイド機構において、前記ガイド部材を前記紙葉を案内する案内位置と前記羽根車の半径方向外側へ退避する退避位置との間で移動可能に支持させると共に、前記退避位置へ移動した状態下で前記紙葉の幅方向に対して移動可能に支持させたので、ガイド部材を取り外さないで移動させるだけで仕様切換が行え、工具と取付位置の調整を不要とすると共に、部品の紛失もない。
【図面の簡単な説明】
【図１】本発明の一実施例を示す折機排紙部における羽根車のガイド機構の正面図である。
【図２】同じく平面図である。
【図３】同じく図１のＡ矢視図である。
【図４】同じく図１のＢ矢視図である。
【図５】従来例に係る折機の全体側面図である。
【符号の説明】
１ａ，１ｂ  チョッパフレーム
２ａ，２ｂ，２ｃ，２ｄ  羽根車ピース
３  支持軸
４  クランプレバー
５Ａ，５Ｂ  横ガイド
６  支持機構
７ａ，７ｂ  ブラケット
８  スライドシャフト
９  クランプレバー
１０  支持ブロック
１１ａ，１１ｂ  移動ロッド
１２  ラック
１３  支持基材
１３ａ  支持板部
１３ｂ  摺動軸部
１４  ピニオン
１５  取付ブラケット
１６  エアシリンダ
１７  自在継手
１８  連結ロッド
１９  自在継手
２０  ブラケット
２１  調整ハンドル
【図１】
0004014312.tif 000002
【図２】
0004014312.tif 000003
【図３】
0004014312.tif 000004
【図４】
0004014312.tif 000005
【図５】
0004014312.tif 000006